(57)【要約】【課題】画面全体を黒色または白色等の一色にすることなく、残像が少なく、書き換え対象部分のコントラスト比の低下を抑えた電気泳動表示装置の駆動方法を提供する。【解決手段】表示部４を複数の副領域に分割し、副領域にて共通電極に所定電圧を印加し、各画素電極に少なくとも所定電圧よりも高い電圧または低い電圧を印加し、画素電極と共通電極との間に生じた電界により電気泳動粒子を移動させて副領域に表示される画像を書き換える部分駆動方式によって、第１の副領域に第１色で表示された第１の画像の背景を第１色で表示させる画像消去工程（Ｓ２）と、画像消去工程の後に、第１の副領域の全画素を第２色で表示させる表示初期化工程（Ｓ３）と、表示初期化工程の後に、第１の副領域に第２の画像を第１色で表示させる画像表示工程（Ｓ４）とを含み、画像消去工程の後または表示初期化工程の後に、第２の副領域にて次の画像消去工程（Ｓ２）が実行される。【選択図】図９
2016180897.tif 000002
【特許請求の範囲】
【請求項１】
一対の基板間に電気泳動粒子を含む電気泳動素子を狭持し、少なくとも第１色と第２色を表示可能な画素を有する表示部を含み、一方の前記基板と前記電気泳動素子との間に前記画素に対応して行方向および列方向に画素電極が形成され、他方の前記基板と前記電気泳動素子との間に、複数の前記画素電極と対向する共通電極が形成された電気泳動表示装置の駆動方法であって、
前記表示部の全領域を前記行方向または列方向に複数の副領域に分割し、当該副領域において、前記共通電極に所定の電圧を印加し、複数の前記画素電極のそれぞれに、少なくとも前記所定の電圧よりも高い電圧または低い電圧を印加し、前記画素電極と前記共通電極との間に生じた電界によって前記電気泳動粒子を移動させることで前記副領域に表示される画像を書き換える部分駆動方式によって、第１の副領域に前記第１色で表示された第１の画像の背景を前記第１色で表示させる画像消去工程と、
前記画像消去工程の後に、前記部分駆動方式によって、前記第１の副領域の全画素を前記第２色で表示させる表示初期化工程と、
前記表示初期化工程の後に、前記部分駆動方式によって、前記第１の副領域に第２の画像を前記第１色で表示させる画像表示工程と、を含み、
前記画像消去工程の後、または、前記表示初期化工程の後に、第２の副領域において次の画像消去工程が実行される、
電気泳動表示装置の駆動方法。
【請求項２】
前記部分駆動方式は、前記第１の副領域において、前記共通電極に第１の電位と第２の電位とを繰り返す駆動パルス信号に基づく電圧を印加し、複数の前記画素電極のそれぞれに前記駆動パルス信号の反転信号、または正転信号に基づく電圧を印加する、
請求項１に記載の電気泳動表示装置の駆動方法。
【請求項３】
前記部分駆動方式は、前記第１の副領域において、前記共通電極に所定の電圧を印加し、複数の前記画素電極のそれぞれに、前記所定の電圧よりも高い電圧と、前記所定の電圧よりも低い電圧と、前記所定の電圧と等しい電圧とのいずれかを印加する、
請求項１に記載の電気泳動表示装置の駆動方法。
【請求項４】
いずれの前記副領域においても、前記画像表示工程の後から次の画像消去工程が実行されるまでは、表示状態を維持する表示維持工程が実行される、
請求項１ないし請求項３のいずれか１項に記載の電気泳動表示装置の駆動方法。
【請求項５】
前記第１の副領域において前記表示初期化工程が実行される際に、前記第２の副領域において前記画像消去工程が実行される、
請求項１に記載の電気泳動表示装置の駆動方法。
【請求項６】
前記複数の副領域を一次副領域とし、当該一次副領域のそれぞれをさらに複数の二次副領域に分割し、前記一次副領域のそれぞれにおける複数の前記二次副領域のうちの第１の二次副領域において、前記画像消去工程、前記表示初期化工程、前記画像表示工程が実行され、
前記画像消去工程の後、または、前記表示初期化工程の後に、第２の二次副領域において次の画像消去工程が実行される、
請求項１ないし請求項５のいずれか１項に記載の電気泳動表示装置の駆動方法。
【請求項７】
請求項１ないし請求項６のいずれか１項に記載の電気泳動表示装置の駆動方法を実行する制御部を含む電気泳動表示装置。
【請求項８】
請求項７に記載の電気泳動表示装置を含む電子機器。
【発明の詳細な説明】
【技術分野】
【０００１】
本発明は、電気泳動表示装置の駆動方法、電気泳動表示装置、及び電子機器に関する。
【背景技術】
【０００２】
電気泳動表示装置の表示部における書き換え対象部分だけの描画を行う部分駆動方式を採用しつつ、残像が少なく、かつ、書き換え対象部分のコントラスト比の低下を抑える駆動方式が提案されている（例えば、特許文献１）。
【先行技術文献】
【特許文献】
【０００３】
【特許文献１】特開２０１３−６１５９２号公報
【発明の概要】
【発明が解決しようとする課題】
【０００４】
しかしながら、特許文献１に記載の駆動方式では、画面全体を真っ黒に表示する期間と、真っ白に表示する期間を設けるため、一時的に時刻などの情報が読み取れなくなるほか、使用者が壊れてしまったと誤認する可能性がある。
【０００５】
本発明は、上述した事情に鑑みてなされたものであり、画面全体を黒色または白色等の一色にする期間を設けることなく、残像が少なく、かつ、書き換え対象部分のコントラスト比の低下を抑えることの可能な電気泳動表示装置の駆動方法、電気泳動表示装置、及び電子機器を提供することを課題としている。
【課題を解決するための手段】
【０００６】
以上の課題を解決するため、本発明の一態様に係る電気泳動表示装置の駆動方法によれば、一対の基板間に電気泳動粒子を含む電気泳動素子を狭持し、少なくとも第１色と第２色を表示可能な画素を有する表示部を含み、一方の前記基板と前記電気泳動素子との間に前記画素に対応して行方向および列方向に画素電極が形成され、他方の前記基板と前記電気泳動素子との間に、複数の前記画素電極と対向する共通電極が形成された電気泳動表示装置の駆動方法であって、前記表示部の全領域を前記行方向または列方向に複数の副領域に分割し、当該副領域において、前記共通電極に所定の電圧を印加し、複数の前記画素電極のそれぞれに、少なくとも前記所定の電圧よりも高い電圧または低い電圧を印加し、前記画素電極と前記共通電極との間に生じた電界によって前記電気泳動粒子を移動させることで前記副領域に表示される画像を書き換える部分駆動方式によって、第１の副領域に前記第１色で表示された第１の画像の背景を前記第１色で表示させる画像消去工程と、前記画像消去工程の後に、前記部分駆動方式によって、前記第１の副領域の全画素を前記第２色で表示させる表示初期化工程と、前記表示初期化工程の後に、前記部分駆動方式によって、前記第１の副領域に第２の画像を前記第１色で表示させる画像表示工程と、を含み、前記画像消去工程の後、または、前記表示初期化工程の後に、第２の副領域において次の画像消去工程が実行される。
【０００７】
前記一態様によれば、画像消去工程が実行されると、第１の副領域に第１色で表示された第１の画像の背景が第１色で表示され、第１の副領域の全画素が第１色で表示されるので第１の画像が消去される。画像消去工程の後に表示初期化工程が実行されると、第１の副領域の全画素が第２色で表示されるので、第１色による第２の画像の表示を行うための初期化が行われる。表示初期化工程の後に画像表示工程が実行されると、第１の副領域に第２の画像が第１色で表示される。第２の副領域においては、第１の副領域における画像消去工程の後、または、表示初期化工程の後に、次の画像消去工程が実行される。したがって、複数の副領域において、全画素が第１色で表示された後に全画素が第２色で表示され、その後に画像の表示が行われるサイクルが順次実行されることになる。それぞれの表示は部分駆動方式により行われる。
【０００８】
複数の副領域において全画素が第１色で表示された後に全画素が第２色で表示されるので、表示部の全体に均一に電圧が印加され、部分駆動方式で生じ得る局所的なコントラスト比の低下の発生が抑えられる。また、各副領域において部分駆動方式による表示を行っているので、表示部の全体を一度に黒色または白色の一色に塗りつぶす全面駆動方式で生じ得る残像の発生も抑えられる。さらに、表示部の全体が一度に第１色または第２色の一色に表示されるのではなく、副領域ごとに順次表示されるので、一時的に時刻などの情報が読み取れなくなるということがない。また、装置が壊れてしまったと使用者が誤認することもない。なお、前記一態様において「第１色」、「第２色」とは、黒色、白色の他、種々の色を含む概念である。また、共通電極に印加される「所定の電圧」は、パルス信号に基づく電圧、及び定電圧を含む概念である。さらに、画素電極に印加される「所定の電圧よりも高い電圧または低い電圧」は、共通電極に印加されるパルス信号の反転信号に基づく電圧、及び共通電極に印加される定電圧よりも高い電圧または低い電圧を含むパルス信号に基づく電圧を含む概念である。
【０００９】
上述した電気泳動表示装置の駆動方法において、前記部分駆動方式は、前記第１の副領域において、前記共通電極に第１の電位と第２の電位とを繰り返す駆動パルス信号に基づく電圧を印加し、複数の前記画素電極のそれぞれに前記駆動パルス信号の反転信号、または正転信号に基づく電圧を印加する態様であってもよい。
【００１０】
前記態様においては、部分駆動方式による表示が実行されると、第１の副領域において、共通電極に第１の電位と第２の電位とを繰り返す駆動パルス信号に基づく電圧が印加され、複数の画素電極のそれぞれに駆動パルス信号の反転信号に基づく電圧が印加されると、共通電極と画素電極との間に発生する電界により、第１色または第２色の電気泳動粒子が共通電極に移動して、表示部における表示が行われる。また、複数の画素電極のそれぞれに駆動パルス信号の正転信号に基づく電圧が印加されると、共通電極と画素電極との間に電界が発生せず、電気泳動粒子が移動しないので、表示部における表示が維持される。また、同様の動作は他の副領域においても行われる。したがって、第２の副領域の表示を維持しつつ、第１の副領域において画像消去工程から画像表示工程までのサイクルを実行可能となる。
【００１１】
上述した電気泳動表示装置の駆動方法において、前記部分駆動方式は、前記第１の副領域において、前記共通電極に所定の電圧を印加し、複数の前記画素電極のそれぞれに、前記所定の電圧よりも高い電圧と、前記所定の電圧よりも低い電圧と、前記所定の電圧と等しい電圧とのいずれかを印加する態様であってもよい。
【００１２】
前記態様においては、部分駆動方式による表示が実行されると、第１の副領域において、共通電極に所定の電圧が印され、複数の画素電極のそれぞれに、所定の電圧よりも高い電圧が印加されると、共通電極と画素電極との間に発生する電界により、第１色または第２色の電気泳動粒子が共通電極に移動して、表示部における表示が行われる。また、複数の画素電極のそれぞれに、所定の電圧よりも低い電圧が印加されると、共通電極と画素電極との間に発生する電界により、第２色または第１色の電気泳動粒子が共通電極に移動して、表示部における表示が行われる。さらに、複数の画素電極のそれぞれに、所定の電圧と等しい電圧が印加されると、共通電極と画素電極との間に電界が発生せず、電気泳動粒子が移動しないので、表示部における表示が維持される。また、同様の動作は他の副領域においても行われる。したがって、第１の副領域において表示初期化工程により第１の副領域の全画素を第２色で表示しつつ、第２の副領域において画像消去工程により第２の副領域の全画素を第１色で表示し、さらに他の副領域において表示を維持する表示動作が実行可能となる。
【００１３】
上述した電気泳動表示装置の駆動方法において、いずれの前記副領域においても、前記画像表示工程の後から次の画像消去工程が実行されるまでは、表示状態を維持する表示維持工程が実行される態様であってもよい。
【００１４】
前記態様においては、いずれかの副領域において画像表示工程による表示が行われた後は、当該副領域においては、次の画像消去工程が実行されるまでは、表示状態を維持する表示維持工程が実行される。したがって、表示部の全体を第１色または第２色の一色で表示させることなく、副領域ごとに画像消去工程と表示初期化工程とを順次行うことが可能となる。
【００１５】
上述した電気泳動表示装置の駆動方法において、前記第１の副領域において前記表示初期化工程が実行される際に、前記第２の副領域において前記画像消去工程が実行される態様であってもよい。
【００１６】
前記態様においては、第１の副領域において表示初期化工程が実行される際に、第２の副領域において画像消去工程が実行されると、第１の副領域において画像消去工程から画像表示工程までの全工程が完了する前に、第２の副領域において次の全工程が開始されることになり、表示部全体の表示の書き換え時間が短縮される。
【００１７】
上述した電気泳動表示装置の駆動方法において、前記複数の副領域を一次副領域とし、当該一次副領域のそれぞれをさらに複数の二次副領域に分割し、前記一次副領域のそれぞれにおける複数の前記二次副領域のうちの第１の二次副領域において、前記画像消去工程、前記表示初期化工程、前記画像表示工程が実行され、前記画像消去工程の後、または、前記表示初期化工程の後に、第２の二次副領域において次の画像消去工程が実行される。
【００１８】
前記態様においては、一次副領域のそれぞれにおける複数の二次副領域のうちの第１の二次副領域において、画像消去工程、表示初期化工程、画像表示工程が実行される。そして、第２の二次副領域においては、第１の二次副領域における画像消去工程の後または表示初期化工程の後に、次の画像消去工程が実行される。したがって、複数の二次副領域において全画素が第１色で表示された後に全画素が第２色で表示されるので、表示部の全体に均一に電圧が印加され、部分駆動方式で生じ得る局所的なコントラスト比の低下の発生が抑えられる。また、各二次副領域において部分駆動方式による表示を行っているので、表示部の全体を一度に黒色または白色の一色に塗りつぶす全面駆動方式で生じ得る残像の発生も抑えられる。さらに、表示部の全体が一度に第１色または第２色の一色に表示されるのではなく、二次副領域ごとに順次表示されるので、一時的に時刻などの情報が読み取れなくなるということがない。また、装置が壊れてしまったと使用者が誤認することもない。
【００１９】
以上の課題を解決するため、本発明の一態様に係る電気泳動表示装置は、上述した電気泳動表示装置の駆動方法を実行する制御部を含む電気泳動表示装置として把握し得る。
【００２０】
前記一態様においては、コントラスト比の低下の発生が抑えられ、かつ、残像の発生も抑えられた表示であって、一時的に時刻などの情報が読み取れなくなるということがなく、また、装置が壊れてしまったと使用者が誤認することのない表示が行われる電気泳動表示装置が提供される。なお、「電気泳動表示装置」は、黒色粒子および白色粒子による白黒二粒子系の電気泳動が行われる電気泳動表示装置、あるいは、青白等の一粒子系の電気泳動が行われる電気泳動表示装置を含む概念である。
【００２１】
以上の課題を解決するため、本発明の一態様に係る電子機器は、上述した電気泳動表示装置を含む電気機器として把握し得る。
【００２２】
前記一態様においては、コントラスト比の低下の発生が抑えられ、かつ、残像の発生も抑えられた表示であって、一時的に時刻などの情報が読み取れなくなるということがなく、また、装置が壊れてしまったと使用者が誤認することのない表示が行われる電気機器が提供される。なお、「電子機器」とは、腕時計型の電子時計、リスト型のスポーツ機器、ウェアラブル機器、タブレット、電子ブック、スマートフォン等を含む概念である。
【図面の簡単な説明】
【００２３】
【図１】第１実施形態に係る電気泳動表示装置のブロック図である。
【図２】第１実施形態に係る電気泳動表示装置の画素の構成例を示す図である。
【図３】電気泳動素子の構成例を示す図である。
【図４】電気泳動素子の動作の説明図である。
【図５】電気泳動素子の動作の説明図である。
【図６】部分駆動方式のタイミングチャートである。
【図７】部分駆動方式の反射率の例を示す図である。
【図８】表示部における副領域の構成例を示す図である。
【図９】第１実施形態における制御のフローチャートである。
【図１０】図１０（Ａ）〜図１０（Ｊ）は第１実施形態の表示例を示す図である。
【図１１】第２実施形態における制御のフローチャートである。
【図１２】図１２（Ａ）〜図１２（Ｊ）は第２実施形態の表示例を示す図である。
【図１３】第３実施形態における画素回路の回路図である。
【図１４】第３実施形態における部分駆動方式の反射率の例を示す図である。
【図１５】第３実施形態における制御のフローチャートである。
【図１６】図１６（Ａ）〜図１６（Ｆ）は第３実施形態の表示例を示す図である。
【図１７】第４実施形態に係る表示部における一次副領域及び二次副領域の構成例を示す図である。
【図１８】変形例の表示例を示す図である。
【図１９】電子機器（腕時計）の正面図である。
【図２０】電子機器（情報端末）の斜視図である。
【図２１】電子機器（電子ペーパー）の斜視図である。
【発明を実施するための形態】
【００２４】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２５】
＜第１実施形態＞
＜Ａ：電気泳動装置の構成＞
図１は、本実施形態のアクティブマトリックス方式の電気泳動表示装置１の構成を示すブロック図である。図１に示すように、本実施形態の電気泳動表示装置１における表示部４は、アクティブマトリックス方式の電気泳動表示パネル（ＥＰＤパネル）であり、文字、数字、写真、模様、イラスト等の様々な画像を表示可能である。
【００２６】
表示部４には、データ線駆動回路１０１及び走査線駆動回路１０２が設けられている。また、表示部４には、データ線駆動回路１０１から延びる複数のデータ線１１１と、走査線駆動回路１０２から延びる複数の走査線１１２とが形成されており、これらの交差位置に対応して複数の画素１０３が設けられている。
【００２７】
データ線駆動回路１０１は、ｎ本のデータ線１１１（Ｘ１、Ｘ２、・・・、Ｘｎ）により各画素１０３に接続されている。データ線駆動回路１０１は、描画ＩＣ３０が内蔵するコントローラー３１の制御に従って、画素１０３のそれぞれに対応する１ビットの画像データを規定する画像信号を画素１０３に供給する。なお、本実施形態では、データ線駆動回路１０１は、画素データ「０」を規定する場合には、ローレベルの画像信号を画素１０３に供給し、画素データ「１」を規定する場合には、ハイレベルの画像信号を画素１０３に供給するものとする。
【００２８】
走査線駆動回路１０２は、ｍ本の走査線１１２（Ｙ１、Ｙ２、・・・、Ｙｍ）により各画素１０３に接続されている。走査線駆動回路１０２は、コントローラー３１の制御に従って１行目からｍ行目までの走査線１１２を順次選択することで、画素１０３に設けられた駆動用ＴＦＴ１０４（図２参照）のオンタイミングを規定する選択信号を供給する。
【００２９】
表示部４には、描画ＩＣ３０のＶＤＤＸ端子を介してコントローラー３１から延びる高電位電源線２０５が設けられており、この高電位電源線２０５はデータ線駆動回路１０１と接続されている。また、表示部４には、描画ＩＣ３０のＶＤＤＹ端子を介してコントローラー３１から延びる高電位電源線２０６が設けられており、この高電位電源線２０６は走査線駆動回路１０２と接続されている。コントローラー３１は、高電位電源線２０５，２０６に高電位を供給するか否かの制御を行う。なお、高電位電源線２０５における高電位は一例として５Ｖ、高電位電源線２０６における高電位は一例として７Ｖとなっている。
【００３０】
また、表示部４には、描画ＩＣ３０のＶＳＳＸ端子を介してコントローラー３１から延びる低電位電源線２０７が設けられており、この低電位電源線２０７はデータ線駆動回路１０１と接続されている。また、表示部４には、描画ＩＣ３０のＶＳＳＹ端子を介してコントローラー３１から延びる低電位電源線２０８が設けられており、この低電位電源線２０８は走査線駆動回路１０２と接続されている。コントローラー３１は、低電位電源線２０７，２０８に低電位（一例として０Ｖ）を供給する。
【００３１】
また、表示部４には、描画ＩＣ３０のＶＣＯＭ端子、Ｓ１端子、Ｓ２端子、ＶＥＰ端子、ＶＳＳ端子を介して、それぞれ、共通電源変調回路３７から延びる共通電極配線２００、第１パルス信号線２０１、第２パルス信号線２０２、高電位電源線２０３、低電位電源線２０４が設けられており、それぞれの配線は画素１０３と接続されている。共通電源変調回路３７は、コントローラー３１の制御に従って上記配線のそれぞれに供給する各種信号を生成する一方、これら各配線の電気的な接続及び切断（ハイインピーダンス化、Ｈｉ−Ｚ）を行う。なお、ＶＥＰ端子に接続される高電位電源線２０３は一例として１５Ｖの高電位を供給する。
【００３２】
描画ＩＣ３０は、コントローラー３１、フラッシュＲＯＭ３２、発振回路３３、ＶＲＡＭ３４、ＲＡＭ３５、昇圧回路３６及び共通電源変調回路３７を含んで構成されている。コントローラー３１は、イネーブル端子ＸＰＤＷに演算ＩＣ１０からイネーブル信号（ハイレベルの信号）が入力されるまではパワーオフ状態であり、イネーブル信号が入力されるとパワーオンする。コントローラー３１は、パワーオン状態の時、ＲＡＭ３５を作業領域として、フラッシュＲＯＭ３２、発振回路３３、ＶＲＡＭ３４、昇圧回路３６及び共通電源変調回路３７を制御し、表示部４に画像を表示させるための各処理を行う。
【００３３】
＜Ｂ：画素部分の回路構成＞
図２は、図１に示した画素１０３の回路構成図である。なお、図１と同じ配線には同じ番号を付しており、説明は省略する。また、全画素に共通の共通電極配線２００については記載を省略している。
図２に示すように、画素１０３には、駆動用ＴＦＴ（Thin Film Transistor）１０４と、ラッチ回路１０５と、スイッチ回路１０６が設けられている。画素１０３は、ラッチ回路１０５により画像信号を電位として保持するＳＲＡＭ（Static Random Access Memory）方式の構成となっている。
【００３４】
駆動用ＴＦＴ１０４は、Ｎチャネル型ＭＯＳ（Metal Oxide Semiconductor）トランジスターからなる画素スイッチング素子である。駆動用ＴＦＴ１０４のゲート端子は走査線１１２に接続され、ソース端子はデータ線１１１に接続され、ドレイン端子はラッチ回路１０５のデータ入力端子に接続されている。ラッチ回路１０５は転送インバーター１０５ｔと帰還インバーター１０５ｆとを備えている。転送インバーター１０５ｔ、帰還インバーター１０５ｆには、高電位電源線２０３と低電位電源線２０４との電位差に相当する電源電圧が供給される。
【００３５】
スイッチ回路１０６は、トランスミッションゲートＴＧ１、ＴＧ２からなり、ラッチ回路１０５に記憶された画素データのレベルに応じて、画素電極１３５（図４、図５参照）に信号を出力する。
ラッチ回路１０５に画素データ「１」（ハイレベルの画像信号）が記憶されて、トランスミッションゲートＴＧ１がオン状態となると、スイッチ回路１０６は第１パルス信号線２０１に伝搬する信号を出力する。一方、ラッチ回路１０５に画素データ「０」（ローレベルの画像信号）が記憶されて、トランスミッションゲートＴＧ２がオン状態となると、スイッチ回路１０６は第２パルス信号線２０２に伝搬する信号を出力する。このような回路構成により、それぞれの画素１０３の画素電極１３５に対して供給する電位が制御可能となる。
【００３６】
＜Ｃ：表示方式＞
本実施形態では、表示部４は、二粒子系マイクロカプセル型の複数の電気泳動素子を有し、各電気泳動素子に電界をかけることで各画素１０３の色が制御される。図３は、本実施形態の電気泳動素子１３２の構成を示す図である。電気泳動素子１３２は素子基板１３０と対向基板１３１（図４、図５参照）との間に配置されている。電気泳動素子１３２は、複数のマイクロカプセル１２０を配列して構成される。マイクロカプセル１２０は、例えば無色透明な分散液と、複数の白色（第２色）の電気泳動粒子（白色粒子１２７）と、複数の黒色（第１色）の電気泳動粒子（黒色粒子１２６）とが封入されている。本実施形態では、白色粒子１２７は負に帯電しており、黒色粒子１２６は正に帯電している。なお、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
【００３７】
図４は、表示部４の部分断面図である。素子基板１３０と対向基板１３１は、マイクロカプセル１２０を配列してなる電気泳動素子１３２を狭持している。表示部４は、素子基板１３０の電気泳動素子１３２側に、複数の画素電極１３５が形成された駆動電極層３５０が設けられている。図４では、画素電極１３５として画素電極１３５Ａと画素電極１３５Ｂが示されている。画素電極１３５により、画素ごとに電位（例えば、Ｖａ、Ｖｂ）を供給することが可能である。ここで、画素電極１３５Ａを有する画素を画素１０３Ａとし、画素電極１３５Ｂを有する画素を画素１０３Ｂとする。画素１０３Ａ、画素１０３Ｂは画素１０３（図１、図２参照）に対応する２つの画素である。
【００３８】
一方、対向基板１３１は透明基板であり、表示部４において対向基板１３１側に画像表示がなされる。表示部４は、対向基板１３１の電気泳動素子１３２側に、平面形状の共通電極１３７が形成された共通電極層３７０が設けられている。なお、共通電極１３７は透明電極である。共通電極１３７は、画素電極１３５と異なり全画素に共通の電極であり、電位Ｖｃｏｍが供給される。
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００３９】
図４は、共通電極側の電位Ｖｃｏｍが画素１０３Ａの画素電極１３５Ａの電位Ｖａ及び画素１０３Ｂの画素電極１３５Ｂの電位Ｖｂよりも高電位の状態を示している。このとき、画素電極１３５Ａ，１３５Ｂと共通電極１３７との間には、電位Ｖｃｏｍを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは白色（第２色の一例）を表示していると視認される。
【００４０】
図５は、図４の状態から、共通電極１３７側の電位Ｖｃｏｍが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から黒色（第１色の一例）に変化したと視認される。一方、画素電極１３５Ｂと共通電極１３７との間では、電位差が生じていないため、黒色粒子１２６と白色粒子１２７は図４の位置でほとんど移動せず、画素１０３Ａは白色のまま変化していないと視認される。
【００４１】
なお、画素電極１３５と共通電極１３７との電位差の大きさあるいは電位差を 
生じさせる時間を制御することで、黒色粒子１２６と白色粒子１２７を両電極間の任意の中間位置で静止させれば、黒色と白色の間の任意の中間色（灰色）を表示させることもできる。
このように、ＥＰＤパネルは、一定時間、電力が供給されなくても画像を保持できるため低消費電力動作が可能であり、また、１８０度視認可能であるため、腕時計等の携帯型の電子時計の表示部としての使用にも適している。
【００４２】
＜Ｄ：駆動方式＞
制御部としての描画ＩＣ３０、データ線駆動回路１０１、及び走査線駆動回路１０２が表示部４に画像を表示する制御を行うときのパルス信号の駆動方式について図６及び図７を参照して説明する。
【００４３】
図６は部分駆動方式の波形図である。本実施形態の電気泳動表示装置１では、応答速度を速めるために、表示部４の全体を描画するのではなく、書き換え対象である一部を描画する。部分駆動方式によって、書き換え対象である一部の描画ができる。なお、図６のＶａ、Ｖｂ、Ｖｃｏｍは図４及び図５と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００４４】
図６のＶｃｏｍは、共通電極への駆動パルス信号の例を示す。ここでのＶｃｏｍは、あるパルス幅Ｔ１（以下、単にＴ１とする）で第１の電位を共通電極に印加するパルスの後に、短いパルス幅Ｔ２（以下、単にＴ２とする）で第２の電位を共通電極に印加するパルス（逆電位駆動パルス）が続き、それが繰り返される。ただし、図６のように駆動停止の直前では例外的に第１の電位を共通電極に印加して終了する。パルス幅の短い逆電位駆動パルスにより、部分書き換え時の駆動時間をより短縮することができる。これは、電気泳動粒子が逆電位駆動パルスにより攪拌されて、異なる方向に移動する電気泳動粒子の移動が円滑になるためであると考えられる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００４５】
この例では、画素１０３Ａの画素電極に印加される電位Ｖａを与えるパルス信号は駆動パルス信号の反転信号である。また、画素１０３Ｂの画素電極に印加される電位Ｖｂを与えるパルス信号は駆動パルス信号と同じ信号（正転信号）である。画素１０３Ａと画素１０３Ｂは例えば図４で示された２つの画素である。画素１０３Ａは、図６の「白色表示」と示された期間に黒色から白色へと書き換えられ、「黒色表示」と示された期間に白色から黒色へと書き換えられる。一方、画素１０３Ｂは、共通電極と画素電極との間に電界を生じないため書き換えが行われずに黒色表示を続ける。
【００４６】
図７は、図６の例による画素１０３Ａ、画素１０３Ｂの色（反射率）の変化を示す図である。まず、画素１０３Ａについて説明する。画素１０３Ａは最初に黒色で表示されているものとする。「白色表示」のＴ１に対応する区間では、画素電極の電位はＶＬで共通電極の電位はＶＨであるため白色表示に近づく。しかし、「白色表示」のＴ２に対応する区間では、画素電極の電位はＶＨで共通電極の電位はＶＬであるため黒色表示に近づく。しかし、Ｔ１＞Ｔ２であるため、画素１０３Ａは「白色表示」の期間の最後には白色で表示される。そして、画素１０３ＡはＶｃｏｍの極性が反転した「黒色表示」の期間の最後には黒色で表示される。
【００４７】
一方、画素１０３Ｂは、常にＶｃｏｍと同じ信号が画素電極に供給されているので電位差が生じることはなく当初からの黒色表示を続ける。このように部分駆動方式では、変化させたい画素のみを駆動することができ、画像の書き換えにおける応答速度を速めることができる。特に、パルス幅の短い逆電位駆動パルスを使用することで部分書き換え時の駆動時間を短縮することができる。
【００４８】
なお、書き換え対象である一部を描画する場合に適していることから、このようなパルス信号の駆動方式を部分駆動方式と呼ぶ。しかし、部分駆動方式は、書き換え対象を表示部の一部の画素に限るものではない。そのため、表示部の全画素を、部分駆動方式で描画することが可能である。
【００４９】
＜Ｅ：制御方法＞
描画ＩＣ３０、データ線駆動回路１０１、及び走査線駆動回路１０２が表示部４に画像を表示する制御の一例について図８乃至図１０を参照して説明する。
本実施形態においては、図８に示すように、表示部４の全表示領域を行方向（Ｘ方向）に複数の副領域に分割する。副領域の分割数は特定数に限定されず、適宜設定可能である。本実施形態では、一例として、表示部４の全表示領域を第１領域、第２領域、及び第３領域に均等に３分割している。
【００５０】
図９は本実施形態における表示部４に画像を表示する制御の一例を示すフローチャートである。制御の工程は、画像消去工程、表示初期化工程、画像表示工程、及び表示維持工程に分けられる。各工程は、表示部４の全表示領域に対して一度に実行されるのではなく、第１領域、第２領域、及び第３領域のそれぞれの領域ごとに実行される。
【００５１】
画像消去工程は、表示部４に第１色の一例である黒色で文字等を表示していた場合に、当該文字等以外の背景部分を黒色で塗りつぶす工程である。例えば、第１領域において、画像消去工程が実行されると、第１領域において表示されている文字等以外の背景部分が黒色で塗りつぶされる。したがって、第１領域の全体が黒色で塗りつぶされる。なお、第１領域において文字等が表示されていない場合でも、第１領域の全体が黒色で塗りつぶされる。同様にして、第２領域及び第３領域においても、第２領域及び第３領域の全体が黒色で塗りつぶされる。但し、各領域において画像消去工程が実行されるタイミングは同時ではなく、後述するように異なっている。
【００５２】
表示初期化工程は、画像消去工程によって全体が黒色表示された何れかの領域を、第２色の一例である白色で塗りつぶす工程である。例えば、第１領域において画像消去工程が実行され、全体が黒色表示された第１領域において表示初期化工程が実行されると、第１領域の全体が白色で塗りつぶされる。同様にして、第２領域及び第３領域においても、第２領域及び第３領域の全体が白色で塗りつぶされる。但し、各領域において表示初期化工程が実行されるタイミングは同時ではなく、後述するように異なっている。
【００５３】
画像表示工程は、表示初期化工程によって全体が白色表示された何れかの領域において、表示すべき文字等がある場合に当該文字等に応じた画素を黒色表示し、当該領域における当該文字等以外の部分は白色表示のまま維持する工程である。第１領域、第２領域及び第３領域において画像表示工程が実行されるタイミングは同時ではなく、後述するように異なっている。
【００５４】
表示維持工程は、何れかの領域あるいは複数の領域において、画像表示工程後の表示状態を維持する工程である。本実施形態においては、何れかの領域で画像消去工程、表示初期化工程、あるいは画像表示工程が実行されている際には、当該領域以外の他の領域では表示維持工程が実行される。
【００５５】
次に、図９のフローチャート及び図１０の表示例を参照しつつ、本実施形態の表示制御方法の具体例について説明する。一例として、図１０（Ａ）に示すように表示部４に「Ａ」の文字が表示された状態から、図１０（Ｊ）に示すように「Ｂ」の文字を表示するものとする。
【００５６】
本実施形態では、一例として、ＲＡＭ３５の所定のエリアをレジスタｎとして使用している。まず、コントローラー３１は、レジスタｎに１を代入する（ステップＳ１）。次に、コントローラー３１は、第１（ｎ＝１）領域において画像消去工程を実行し、他の領域である第２領域と第３領域においては表示維持工程を実行する（ステップＳ２）。画像消去工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。図９に示した“Ｖｃｏｍ＝Ｌ”は、パルス幅Ｔ１の電位がＶＬとなる駆動パルス信号Ｖｃｏｍを意味している。また、コントローラー３１は、データ線駆動回路１０１を制御して、前記駆動パルス信号Ｖｃｏｍの極性を反転した反転信号を第１領域の画素電極に供給する。図９に示した“Ｖｎ＝Ｈ”は、第１領域の画素電極にパルス幅Ｔ１の電位がＶＨとなる反転信号を供給することを意味している。第１領域においては、共通電極にパルス幅Ｔ１の電位がＶＬとなる駆動パルス信号Ｖｃｏｍが供給され、画素電極の電位Ｖｎとして反転信号による電位が供給されるため、正に帯電した黒色粒子が共通電極に移動する。したがって、第１領域においては、図１０（Ｂ）に示すように、第１領域の全体が黒色表示される。
【００５７】
また、表示維持工程は次のようにして実行される。上述したように、コントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第２領域及び第３領域の画素電極に供給する。図９に示した“Ｖｍ＝Ｌ”は、第２領域及び第３領域の画素電極にパルス幅Ｔ１の電位がＶＬとなる正転信号を供給することを意味している。第２領域及び第３領域においては、共通電極にパルス幅Ｔ１の電位がＶＬとなる駆動パルス信号Ｖｃｏｍが供給され、画素電極の電位Ｖｍとして正転信号による電位が供給されるため、共通電極と画素電極との間に電界を生じないため書き換えが行われない。したがって、第２領域及び第３領域においては、図１０（Ｂ）に示すように表示状態が維持される。
【００５８】
次に、コントローラー３１は、第１（ｎ＝１）領域においては表示初期化工程を実行し、他の領域である第２領域と第３領域においては表示維持工程を実行する（ステップＳ３）。表示初期化工程は次のようにして実行される。コントローラー３１は、共通電源変調回路３７を制御することにより、図６に示すようにパルス幅Ｔ１の電位がＶＨとなる駆動パルス信号Ｖｃｏｍを、共通電極に供給する。図９に示した“Ｖｃｏｍ＝Ｈ”は、パルス幅Ｔ１の電位がＶＨとなる駆動パルス信号Ｖｃｏｍを意味している。また、コントローラー３１は、データ線駆動回路１０１を制御して、前記駆動パルス信号Ｖｃｏｍの極性を反転した反転信号を第１領域の画素電極に供給する。図９に示した“Ｖｎ＝Ｌ”は、第１領域の画素電極にパルス幅Ｔ１の電位がＶＬとなる反転信号を供給することを意味している。第１領域においては、共通電極にパルス幅Ｔ１の電位がＶＨとなる駆動パルス信号Ｖｃｏｍが供給され、画素電極の電位Ｖｎとして反転信号による電位が供給されるため、負に帯電した白色粒子が共通電極に移動する。したがって、第１領域においては、図１０（Ｃ）に示すように、第１領域の全体が白色表示される。
【００５９】
また、表示維持工程は次のようにして実行される。上述したように、コントローラー３１は、共通電源変調回路３７を制御することにより、図６に示すようにパルス幅Ｔ１の電位がＶＨとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第２領域及び第３領域の画素電極に供給する。図９に示した“Ｖｍ＝Ｈ”は、第２領域及び第３領域の画素電極にパルス幅Ｔ１の電位がＶＨとなる正転信号を供給することを意味している。第２領域及び第３領域においては、共通電極にパルス幅Ｔ１の電位がＶＨとなる駆動パルス信号Ｖｃｏｍが供給され、画素電極の電位Ｖｍとして正転信号による電位が供給されるため、共通電極と画素電極との間に電界を生じないため書き換えが行われない。したがって、第２領域及び第３領域においては、図１０（Ｃ）に示すように表示状態が維持される。
【００６０】
次に、コントローラー３１は、第１（ｎ＝１）領域においては画像表示工程を実行し、他の領域である第２領域と第３領域においては表示維持工程を実行する（ステップＳ４）。画像表示工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、第１領域の黒色を表示すべき画素の画素電極には、前記駆動パルス信号Ｖｃｏｍの極性を反転した反転信号を供給する。図９に示した“Ｖｎａ＝Ｈ”は、第１領域の黒色を表示すべき画素の画素電極にパルス幅Ｔ１の電位がＶＨとなる反転信号を供給することを意味している。一方、コントローラー３１は、データ線駆動回路１０１を制御して、第１領域の白色を表示すべき画素の画素電極には、前記駆動パルス信号Ｖｃｏｍと等しい信号である正転信号を供給する。図９に示した“Ｖｎｂ＝Ｌ”は、第１領域の白色を表示すべき画素の画素電極にパルス幅Ｔ１の電位がＶＬとなる正転信号を供給することを意味している。第１領域においては、共通電極にパルス幅Ｔ１の電位がＶＬとなる駆動パルス信号Ｖｃｏｍが供給され、黒色を表示すべき画素の画素電極の電位Ｖｎａとして反転信号による電位が供給されるため、黒色を表示すべき画素では黒色粒子が共通電極に移動する。しかし、白色を表示すべき画素の画素電極の電位Ｖｎｂとして正転信号による電位が供給されるため、通電極と画素電極との間には電界が発生せず書き換えが行われない。したがって、白色を表示すべき画素においては、表示初期化工程で白色表示された状態が維持される。その結果、第１領域においては、図１０（Ｄ）に示すように、「Ｂ」の文字のうち、第１領域に表示される部分が黒色表示される。
【００６１】
また、表示維持工程は次のようにして実行される。上述したようにコントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第２領域及び第３領域の画素電極に供給する。つまり、第２領域及び第３領域の画素電極にパルス幅Ｔ１の電位がＶＬとなる正転信号を供給する。第２領域及び第３領域においては、共通電極にパルス幅Ｔ１の電位がＶＬとなる駆動パルス信号Ｖｃｏｍが供給され、画素電極の電位Ｖｍとして正転信号による電位が供給されるため、共通電極と画素電極との間には電界が発生せず書き換えが行われない。したがって、第２領域及び第３領域においては、図１０（Ｄ）に示すように表示状態が維持される。
【００６２】
以上のようにして、第１領域における画像消去工程、表示初期化工程、及び画像表示工程のサイクルが終了すると、コントローラー３１は、レジスタｎが３であるかどうかを判断する（ステップＳ５）。レジスタｎが３ではない場合には（ステップＳ５：ＮＯ）、コントローラー３１は、レジスタｎの値に１を加算する（ステップＳ６）。したがって、レジスタｎの値は２となる。
【００６３】
次に、コントローラー３１は、第２（ｎ＝２）領域において画像消去工程を実行し、他の領域である第１領域と第３領域においては表示維持工程を実行する（ステップＳ２）。画像消去工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、前記駆動パルス信号Ｖｃｏｍの極性を反転した反転信号を第２領域の画素電極に供給する。第２領域においては、共通電極にパルス幅Ｔ１の電位がＶＬとなる駆動パルス信号Ｖｃｏｍが供給され、画素電極の電位Ｖｎとして反転信号による電位が供給されるため、正に帯電した黒色粒子が共通電極に移動する。したがって、第２領域においては、図１０（Ｅ）に示すように、第２領域の全体が黒色表示される。
【００６４】
また、表示維持工程は次のようにして実行される。上述したように、コントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第１領域及び第３領域の画素電極に供給する。第１領域及び第３領域においては、共通電極にパルス幅Ｔ１の電位がＶＬとなる駆動パルス信号Ｖｃｏｍが供給され、画素電極の電位Ｖｍとして正転信号による電位が供給され、共通電極と画素電極との間に電界を生じないため書き換えが行われない。したがって、第１領域及び第３領域においては、図１０（Ｅ）に示すように表示状態が維持される。
【００６５】
次に、コントローラー３１は、第２（ｎ＝２）領域において表示初期化工程を実行し、他の領域である第１領域と第３領域においては表示維持工程を実行する（ステップＳ３）。表示初期化工程は次のようにして実行される。コントローラー３１は、共通電源変調回路３７を制御することにより、図６に示すようにパルス幅Ｔ１の電位がＶＨとなる駆動パルス信号Ｖｃｏｍを、共通電極に供給する。また、コントローラー３１は、データ線駆動回路１０１を制御して、前記駆動パルス信号Ｖｃｏｍの極性を反転した反転信号を第２領域の画素電極に供給する。第２領域においては、共通電極にパルス幅Ｔ１の電位がＶＨとなる駆動パルス信号Ｖｃｏｍが供給され、画素電極の電位Ｖｎとして反転信号による電位が供給されるため、負に帯電した白色粒子が共通電極に移動する。したがって、第２領域においては、図１０（Ｆ）に示すように、第２領域の全体が白色表示される。
【００６６】
また、表示維持工程は次のようにして実行される。上述したように、コントローラー３１は、共通電源変調回路３７を制御することにより、図６に示すようにパルス幅Ｔ１の電位がＶＨとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第１領域及び第３領域の画素電極に供給する。第１領域及び第３領域においては、共通電極にパルス幅Ｔ１の電位がＶＨとなる駆動パルス信号Ｖｃｏｍが供給され、画素電極の電位Ｖｍとして正転信号による電位が供給され、共通電極と画素電極との間に電界を生じないため書き換えが行われない。したがって、第１領域及び第３領域においては、図１０（Ｆ）に示すように表示状態が維持される。
【００６７】
次に、コントローラー３１は、第２（ｎ＝２）領域においては画像表示工程を実行し、他の領域である第１領域と第３領域においては表示維持工程を実行する（ステップＳ４）。画像表示工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、第２領域の黒色を表示すべき画素の画素電極には、前記駆動パルス信号Ｖｃｏｍの極性を反転した反転信号を供給する。一方、コントローラー３１は、データ線駆動回路１０１を制御して、第２領域の白色を表示すべき画素の画素電極には、前記駆動パルス信号Ｖｃｏｍと等しい信号である正転信号を供給する。第２領域においては、共通電極にパルス幅Ｔ１の電位がＶＬとなる駆動パルス信号Ｖｃｏｍが供給され、黒色を表示すべき画素の画素電極の電位Ｖｎａとして反転信号による電位が供給されるため、黒色を表示すべき画素では黒色粒子が共通電極に移動する。しかし、白色を表示すべき画素の画素電極の電位Ｖｎｂとして正転信号による電位が供給されるので、共通電極と画素電極との間には電界が発生せず書き換えが行われない。したがって、白色を表示すべき画素においては、表示初期化工程で白色表示された状態が維持される。その結果、第２領域においては、図１０（Ｇ）に示すように、「Ｂ」の文字のうち、第２領域に表示される部分が黒色表示される。
【００６８】
また、表示維持工程は次のようにして実行される。上述したように、コントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第１領域及び第３領域の画素電極に供給する。つまり、第１領域及び第３領域の画素電極にパルス幅Ｔ１の電位がＶＬとなる正転信号を供給する。第１領域及び第３領域においては、共通電極にパルス幅Ｔ１の電位がＶＬとなる駆動パルス信号Ｖｃｏｍが供給され、画素電極の電位Ｖｍとして正転信号による電位が供給されるため、共通電極と画素電極との間に電界が発生せず書き換えが行われない。したがって、第１領域及び第３領域においては、図１０（Ｇ）に示すように表示状態が維持される。
【００６９】
以上のようにして、第２領域における画像消去工程、表示初期化工程、及び表示工程のサイクルが終了すると、コントローラー３１は、レジスタｎが３であるかどうかを判断する（ステップＳ５）。レジスタｎが３ではない場合には（ステップＳ５：ＮＯ）、コントローラー３１は、レジスタｎの値に１を加算する（ステップＳ６）。したがって、レジスタｎの値は３となる。
【００７０】
次に、コントローラー３１は、第３（ｎ＝３）領域において画像消去工程を実行し、他の領域である第１領域と第２領域においては表示維持工程を実行する（ステップＳ２）。画像消去工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、前記駆動パルス信号Ｖｃｏｍの極性を反転した反転信号を第３領域の画素電極に供給する。第３領域においては、共通電極にパルス幅Ｔ１の電位がＶＬとなる駆動パルス信号Ｖｃｏｍが供給され、画素電極の電位Ｖｎとして反転信号による電位が供給されるため、正に帯電した黒色粒子が共通電極に移動する。したがって、第３領域においては、図１０（Ｈ）に示すように、第３領域の全体が黒色表示される。
【００７１】
また、表示維持工程は次のようにして実行される。上述したように、コントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第１領域及び第２領域の画素電極に供給する。第１領域及び第２領域においては、共通電極にパルス幅Ｔ１の電位がＶＬとなる駆動パルス信号Ｖｃｏｍが供給され、画素電極の電位Ｖｍとして正転信号による電位が供給されるため、共通電極と画素電極との間に電界が発生せず書き換えが行われない。したがって、第１領域及び第２領域においては、図１０（Ｈ）に示すように表示状態が維持される。
【００７２】
次に、コントローラー３１は、第３（ｎ＝３）領域において表示初期化工程を実行し、他の領域である第１領域と第２領域においては表示維持工程を実行する（ステップＳ３）。表示初期化工程は次のようにして実行される。コントローラー３１は、共通電源変調回路３７を制御することにより、図６に示すようにパルス幅Ｔ１の電位がＶＨとなる駆動パルス信号Ｖｃｏｍを、共通電極に供給する。また、コントローラー３１は、データ線駆動回路１０１を制御して、前記駆動パルス信号Ｖｃｏｍの極性を反転した反転信号を第３領域の画素電極に供給する。第３領域においては、共通電極にパルス幅Ｔ１の電位がＶＨとなる駆動パルス信号Ｖｃｏｍが供給され、画素電極の電位Ｖｎとして反転信号による電位が供給されるため、負に帯電した白色粒子が共通電極に移動する。したがって、第３領域においては、図１０（Ｉ）に示すように、第３領域の全体が白色表示される。
【００７３】
また、表示維持工程は次のようにして実行される。上述したように、コントローラー３１は、共通電源変調回路３７を制御することにより、図６に示すようにパルス幅Ｔ１の電位がＶＨとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第１領域及び第２領域の画素電極に供給する。第１領域及び第２領域においては、共通電極にパルス幅Ｔ１の電位がＶＨとなる駆動パルス信号Ｖｃｏｍが供給され、画素電極の電位Ｖｍとして正転信号による電位が供給されるため、共通電極と画素電極との間に電界が発生せず書き換えが行われない。したがって、第１領域及び第２領域においては、図１０（Ｉ）に示すように表示状態が維持される。
【００７４】
次に、コントローラー３１は、第３（ｎ＝３）領域においては画像表示工程を実行し、他の領域である第１領域と第２領域においては表示維持工程を実行する（ステップＳ４）。表示工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、第３領域の黒色を表示すべき画素の画素電極には、前記駆動パルス信号Ｖｃｏｍの極性を反転した反転信号を供給する。一方、コントローラー３１は、データ線駆動回路１０１を制御して、第３領域の白色を表示すべき画素の画素電極には、前記駆動パルス信号Ｖｃｏｍと等しい信号である正転信号を供給する。第３領域においては、共通電極にパルス幅Ｔ１の電位がＶＬとなる駆動パルス信号Ｖｃｏｍが供給され、黒色を表示すべき画素の画素電極の電位Ｖｎａとして反転信号による電位が供給されるため、黒色を表示すべき画素では黒色粒子が共通電極に移動する。しかし、白色を表示すべき画素の画素電極の電位Ｖｎｂとして正転信号による電位が供給され、共通電極と画素電極との間には電界が発生しないため書き換えが行われない。したがって、白色を表示すべき画素においては、表示初期化工程で白色表示された状態が維持される。その結果、第３領域においては、図１０（Ｊ）に示すように、「Ｂ」の文字のうち、第３領域に表示される部分が黒色表示される。
【００７５】
また、表示維持工程は次のようにして実行される。上述したように、コントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である正転信号を第１領域及び第２領域の画素電極に供給する。つまり、第１領域及び第２領域の画素電極にパルス幅Ｔ１の電位がＶＬとなる正転信号を供給する。第１領域及び第２領域においては、共通電極にパルス幅Ｔ１の電位がＶＬとなる駆動パルス信号Ｖｃｏｍが供給され、画素電極の電位Ｖｍとして正転信号による電位が供給されるため、共通電極と画素電極との間に電界が発生せず書き換えが行われない。したがって、第１領域及び第２領域においては、図１０（Ｊ）に示すように表示状態が維持される。
【００７６】
以上のようにして、第３領域における画像消去工程、表示初期化工程、及び画像表示工程のサイクルが終了すると、コントローラー３１は、レジスタｎが３であるかどうかを判断する（ステップＳ５）。レジスタｎが３である場合には（ステップＳ５：ＹＥＳ）、図９に示す処理を終了する。その後においても、コントローラー３１は、表示部４に表示される文字等を書き換える必要がある場合には、図９に示す処理を実行する。
【００７７】
図９に示す処理が実行されることにより、表示部４において表示されていた「Ａ」の文字が「Ｂ」の文字に切り替わる。しかも、第１領域、第２領域、及び第３領域のそれぞれにおいて、各領域の全体の画素を黒色（画像表示工程と画像消去工程）、及び白色（表示初期化工程）へと変化させているので、結果として表示部４の全体に均一に電圧が印加され、部分駆動方式で生じ得る局所的なコントラスト比の低下の発生を抑えることができる。また、各領域において部分駆動方式による表示を行っているので、表示部４の全体を一度に黒色または白色の一色に塗りつぶす全面駆動方式で生じ得る残像の発生も抑えることができる。さらに、本実施形態においては、表示部４の全体が一度に黒色または白色の一色に表示されるのではなく、第１領域、第２領域、及び第３領域の順序で分割して表示されるので、一時的に時刻などの情報が読み取れなくなるということがない。また、装置が壊れてしまったと使用者が誤認することもない。
【００７８】
＜第２実施形態＞
本発明の第２実施形態について図１１及び図１２を参照しつつ説明する。なお、第１実施形態との共通箇所には同一符号を付して説明を省略する。
第１実施形態では、一つの領域において、画像消去工程、表示初期化工程、及び画像表示工程が完了した後に、次の領域において各工程を実行する場合について説明した。本実施形態では、一つの領域において画像表示工程を実行すると同時に、次の領域において画像消去工程を実行する場合について説明する。
【００７９】
図１１のフローチャート及び図１２の表示例を参照しつつ、本実施形態の表示制御方法の具体例について説明する。一例として、第１実施形態と同様に、図１２（Ａ）に示すように表示部４に「Ａ」の文字が表示された状態から、図１２（Ｈ）に示すように「Ｂ」の文字を表示するものとする。
【００８０】
まず、コントローラー３１は、第１領域において画像消去工程を実行し、第２領域と第３領域においては表示維持工程を実行する（ステップＳ１０）。次に、コントローラー３１は、第１領域においては表示初期化工程を実行し、第２領域と第３領域においては表示維持工程を実行する（ステップＳ１１）。ここまでの処理は、第１実施形態と同様である。
【００８１】
次に、コントローラー３１は、第１領域においては画像表示工程を実行すると同時に、第２領域においては画像消去工程を実行し、さらに、第３領域においては表示維持工程を実行する（ステップＳ１２）。つまり、本実施形態では、第１領域の画像表示工程と第２領域の画像消去工程を同時に実行する。
【００８２】
第１領域における画像表示工程は、第１実施形態と同様に次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、第１領域の黒色を表示すべき画素の画素電極には、前記駆動パルス信号Ｖｃｏｍの極性を反転した反転信号を供給する。図１１に示した“Ｖ１ａ＝Ｈ”は、第１領域の黒色を表示すべき画素の画素電極にパルス幅Ｔ１の電位がＶＨとなる反転信号を供給することを意味している。一方、コントローラー３１は、データ線駆動回路１０１を制御して、第１領域の白色を表示すべき画素の画素電極には、前記駆動パルス信号Ｖｃｏｍと等しい信号である正転信号を供給する。図１１に示した“Ｖ１ｂ＝Ｌ”は、第１領域の白色を表示すべき画素の画素電極にパルス幅Ｔ１の電位がＶＬとなる正転信号を供給することを意味している。第１領域においては、共通電極にパルス幅Ｔ１の電位がＶＬとなる駆動パルス信号Ｖｃｏｍが供給され、黒色を表示すべき画素の画素電極の電位Ｖ１ａとして反転信号による電位が供給されるため、黒色を表示すべき画素では黒色粒子が共通電極に移動する。しかし、白色を表示すべき画素の画素電極の電位Ｖｎｂとして正転信号による電位が供給されるため、通電極と画素電極との間には電界が発生せず書き換えが行われない。したがって、白色を表示すべき画素においては、表示初期化工程で白色表示された状態が維持される。その結果、第１領域においては、図１２（Ｄ）に示すように、「Ｂ」の文字のうち、第１領域に表示される部分が黒色表示される。
【００８３】
第２領域における画像消去工程は、第１実施形態と同様に次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、前記駆動パルス信号Ｖｃｏｍの極性を反転した反転信号を第２領域の画素電極に供給する。第２領域においては、共通電極にパルス幅Ｔ１の電位がＶＬとなる駆動パルス信号Ｖｃｏｍが供給され、画素電極の電位Ｖ２として反転信号による電位が供給されるため、正に帯電した黒色粒子が共通電極に移動する。したがって、第２領域においては、図１２（Ｄ）に示すように、第２領域の全体が黒色表示される。
【００８４】
以上のように、第１領域において黒色表示される部分の画素電極と、消去される第２領域の画素電極には、共に共通電極の電位に対して反転信号による電位を供給すれば良いので、第１領域における画像表示工程と、第２領域における画像消去工程とを同時に実行することが可能となる。
【００８５】
なお、第３領域における表示維持工程は第１実施形態と同様に次のようにして実行される。上述したようにコントローラー３１は、共通電源変調回路３７を制御することにより、図６に示すようにパルス幅Ｔ１の電位がＶＬとなる駆動パルス信号Ｖｃｏｍを、共通電極に供給する。さらに、コントローラー３１は、データ線駆動回路１０１を制御して、前記駆動パルス信号Ｖｃｏｍと等しい信号である第３領域の画素電極に供給する。つまり、第３領域の画素電極にパルス幅Ｔ１の電位がＶＬとなる正転信号を供給する。第３領域においては、共通電極にパルス幅Ｔ１の電位がＶＬとなる駆動パルス信号Ｖｃｏｍが供給され、画素電極の電位Ｖｍとして正転信号による電位が供給されるため、共通電極と画素電極との間には電界が発生せず書き換えが行われない。したがって、第３領域においては、図１２（Ｄ）に示すように表示状態が維持される。
【００８６】
次に、コントローラー３１は、第１実施形態と同様に第２領域において表示初期化工程を実行し、他の領域である第１領域と第３領域においては表示維持工程を実行する（ステップＳ１３）。さらに、コントローラー３１は、第２領域において画像表示工程を実行すると同時に、第３領域において画像消去工程を実行し、第３領域においては表示維持工程を実行する（ステップＳ１４）。
【００８７】
第２領域における画像表示工程は次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、第２領域の黒色を表示すべき画素の画素電極には、前記駆動パルス信号Ｖｃｏｍの極性を反転した反転信号を供給する。一方、コントローラー３１は、データ線駆動回路１０１を制御して、第２領域の白色を表示すべき画素の画素電極には、前記駆動パルス信号Ｖｃｏｍと等しい信号である正転信号を供給する。第２領域においては、共通電極にパルス幅Ｔ１の電位がＶＬとなる駆動パルス信号Ｖｃｏｍが供給され、黒色を表示すべき画素の画素電極の電位Ｖ２ａとして反転信号による電位が供給されるため、黒色を表示すべき画素では黒色粒子が共通電極に移動する。しかし、白色を表示すべき画素の画素電極の電位Ｖ２ｂとして正転信号による電位が供給されるので、共通電極と画素電極との間には電界が発生せず書き換えが行われない。したがって、白色を表示すべき画素においては、表示初期化工程で白色表示された状態が維持される。その結果、第２領域においては、図１２（Ｆ）に示すように、「Ｂ」の文字のうち、第２領域に表示される部分が黒色表示される。
【００８８】
第３領域における画像消去工程は、第１実施形態と同様に次のようにして実行される。コントローラー３１は、共通電源変調回路３７を制御することにより、図６に示すようにパルス幅Ｔ１の電位がＶＬとなる駆動パルス信号Ｖｃｏｍを、共通電極に供給する。また、コントローラー３１は、データ線駆動回路１０１を制御して、前記駆動パルス信号Ｖｃｏｍの極性を反転した反転信号を第２領域の画素電極に供給する。第３領域においては、共通電極にパルス幅Ｔ１の電位がＶＬとなる駆動パルス信号Ｖｃｏｍが供給され、画素電極の電位Ｖ３として反転信号による電位が供給されるため、正に帯電した黒色粒子が共通電極に移動する。したがって、第３領域においては、図１２（Ｆ）に示すように、第３領域の全体が黒色表示される。
【００８９】
以上のように、第２領域において黒色表示される部分の画素電極と、消去される第３領域の画素電極には、共に共通電極の電位に対して反転信号による電位を供給すれば良いので、第２領域における画像表示工程と、第３領域における画像消去工程とを同時に実行することが可能となる。なお、第１領域における表示維持工程は、ステップＳ１２における第３領域における表示維持工程と同様に実行される。
【００９０】
次に、コントローラー３１は、第１実施形態と同様に第３領域において表示初期化工程を実行し、第１領域と第２領域においては表示維持工程を実行する（ステップＳ１５）。そして、コントローラー３１は、第１実施形態と同様に第３領域において画像表示工程を実行し、第１領域と第２領域においては表示維持工程を実行する（ステップＳ１６）。
【００９１】
以上のようにして、第３領域における画像表示工程が終了すると、コントローラー３１は、図１１に示す処理を終了する。その後においても、コントローラー３１は、表示部４に表示される文字等を書き換える必要がある場合には、図１１に示す処理を実行する。
【００９２】
図１１に示す処理が実行されることにより、表示部４において表示されていた「Ａ」の文字が「Ｂ」の文字に切り替わる。しかも、第１領域、第２領域、及び第３領域のそれぞれにおいて、各領域の全体の画素を黒色（画像表示工程と画像消去工程）、及び白色（表示初期化工程）へと変化させているので、結果として表示部４の全体に均一に電圧が印加され、部分駆動方式で生じ得る局所的なコントラスト比の低下の発生を抑えることができる。また、各領域において部分駆動方式による表示を行っているので、表示部４の全体を一度に黒色または白色の一色に塗りつぶす全面駆動方式で生じ得る残像の発生も抑えることができる。さらに、本実施形態においては、表示部４の全体が一度に黒色または白色の一色に表示されるのではなく、第１領域、第２領域、及び第３領域の順序で分割して表示されるので、一時的に時刻などの情報が読み取れなくなるということがない。また、装置が壊れてしまったと使用者が誤認することもない。
【００９３】
さらに、本実施形態においては、一つの領域における画像表示工程と、次の領域における画像消去工程とを同時に行うので、表示部４において表示されていた「Ａ」の文字を「Ｂ」の文字に切り替える時間を短縮することができる。図１０と図１２を比較すると、２工程分の短縮が行われていることがわかる。
【００９４】
＜第３実施形態＞
本発明の第３実施形態について図１３ないし図１６を参照しつつ説明する。なお、第１実施形態との共通箇所には同一符号を付して説明を省略する。
本実施形態においては、図１３に示すように、ＶＨ［Ｖ］，０［Ｖ］，−ＶＨ［Ｖ］の３種類の電位を画素電極に印加可能な画素回路を用いる。駆動用ＴＦＴ１０４のゲート端子をオン状態とし、データ線１１１にＶＨ［Ｖ］，０［Ｖ］，−ＶＨ［Ｖ］の３種類の電位を供給することにより、画素電極に当該３種類の電位を印加することができる。
図１４に示すように、共通電極に印加する電位Ｖｃｏｍは、０［Ｖ］で一定となっている。パルス幅Ｔ１で第１の電位であるＶＨ［Ｖ］を画素電極に印加すると、正帯電の黒色粒子が共通電極に移動し、黒色表示が行われる。パルス幅Ｔ１で第２の電位である−ＶＨ［Ｖ］を画素電極に印加すると、負帯電の白色粒子が共通電極に移動し、白色表示が行われる。第３の電位である０［Ｖ］を画素電極に印加すると、共通電極と画素電極の間に電界が発生しないので、書き換えが行われず、表示状態が維持される。
【００９５】
次に、図１５のフローチャート及び図１６の表示例を参照しつつ、本実施形態の表示制御方法の具体例について説明する。一例として、図１６（Ａ）に示すように表示部４に「Ａ」の文字が表示された状態から、図１６（Ｆ）に示すように「Ｂ」の文字を表示するものとする。本実施形態においても、表示部４は、第１領域、第２領域、及び第３領域に分割されている。
【００９６】
まず、コントローラー３１は、第１領域において画像消去工程を実行し、他の領域である第２領域と第３領域においては表示維持工程を実行する（ステップＳ１０）。画像消去工程は次のようにして実行される。コントローラー３１は、データ線駆動回路１０１を制御して、パルス幅Ｔ１の電位が共通電極の電位Ｖｃｏｍである０［Ｖ］よりも高い信号を第１領域の画素電極に供給する。図１５に示した“Ｖ１＝ＶＨ”は、第１領域の画素電極にパルス幅Ｔ１の電位がＶＨとなる信号を供給することを意味している。第１領域においては、共通電極の電位よりも、画素電極の電位が高くなるため、正に帯電した黒色粒子が共通電極に移動する。したがって、第１領域においては、図１６（Ｂ）に示すように、第１領域の全体が黒色表示される。
【００９７】
また、表示維持工程は次のようにして実行される。コントローラー３１は、データ線駆動回路１０１を制御して、共通電極の電位Ｖｃｏｍと等しい０［Ｖ］の信号を第２領域及び第３領域の画素電極に供給する。図１５に示した“Ｖ２＝０”，“Ｖ３＝０”は、第２領域及び第３領域の画素電極に０［Ｖ］の信号を供給することを意味している。第２領域及び第３領域においては、共通電極と画素電極との間に電界を生じないため書き換えが行われない。したがって、第２領域及び第３領域においては、図１６（Ｂ）に示すように表示状態が維持される。
【００９８】
次に、コントローラー３１は、第１領域において表示初期化工程を実行すると共に、第２領域において画像消去工程を実行し、かつ、第３領域において表示維持工程を実行する（ステップＳ１１）。表示初期化工程は次のようにして実行される。コントローラー３１は、データ線駆動回路１０１を制御して、パルス幅Ｔ１の電位が共通電極の電位Ｖｃｏｍである０［Ｖ］よりも低い信号を第１領域の画素電極に供給する。図１５に示した“Ｖ１＝−ＶＨ”は、第１領域の画素電極にパルス幅Ｔ１の電位が−ＶＨ［Ｖ］となる信号を供給することを意味している。第１領域においては、共通電極の電位よりも、画素電極の電位が低くなるため、負に帯電した白色粒子が共通電極に移動する。したがって、第１領域においては、図１６（Ｃ）に示すように、第１領域の全体が白色表示される。
【００９９】
また、画像消去工程は、第１領域の場合と同様に、次のようにして実行される。コントローラー３１は、データ線駆動回路１０１を制御して、パルス幅Ｔ１の電位が共通電極の電位Ｖｃｏｍである０［Ｖ］よりも高い信号を第２領域の画素電極に供給する。図１５に示した“Ｖ２＝ＶＨ”は、第２領域の画素電極にパルス幅Ｔ１の電位がＶＨ［Ｖ］となる信号を供給することを意味している。第２領域においては、共通電極の電位よりも、画素電極の電位が高くなるため、正に帯電した黒色粒子が共通電極に移動する。したがって、第２領域においては、図１６（Ｃ）に示すように、第２領域の全体が黒色表示される。
【０１００】
さらに、表示維持工程は、ステップＳ１０の場合と同様に、次のようにして実行される。コントローラー３１は、データ線駆動回路１０１を制御して、共通電極の電位Ｖｃｏｍと等しい０［Ｖ］の信号を第３領域の画素電極に供給する。第３領域においては、共通電極と画素電極との間に電界を生じないため書き換えが行われない。したがって、第３領域においては、図１６（Ｃ）に示すように表示状態が維持される。
【０１０１】
次に、コントローラー３１は、第１領域において画像表示工程を実行すると共に、第２領域において表示初期化工程を実行し、かつ、第３領域において画像消去工程を実行する（ステップＳ１２）。画像表示工程は次のようにして実行される。コントローラー３１は、データ線駆動回路１０１を制御して、第１領域の黒色を表示すべき画素の画素電極には、共通電極の電位Ｖｃｏｍである０［Ｖ］よりも高いＶＨ［Ｖ］の電位を有する信号を供給する。図１５に示した“Ｖ１ａ＝ＶＨ”は、第１領域の黒色を表示すべき画素の画素電極にパルス幅Ｔ１の電位がＶＨとなる信号を供給することを意味している。一方、コントローラー３１は、データ線駆動回路１０１を制御して、第１領域の白色を表示すべき画素の画素電極には、共通電極の電位Ｖｃｏｍと等しい信号である０［Ｖ］の信号を供給する。図１５に示した“Ｖ１ｂ＝０”は、第１領域の白色を表示すべき画素の画素電極に０［Ｖ］の信号を供給することを意味している。第１領域においては、黒色を表示すべき画素の画素電極には、電位Ｖ１ａとして共通電極の電位よりも高い電位が供給されるため、黒色を表示すべき画素では黒色粒子が共通電極に移動する。しかし、白色を表示すべき画素の画素電極には、電位Ｖ１ｂとして共通電極の電位と等しい電位が供給されるため、共通電極と画素電極との間に電界が発生せず、書き換えが行われない。したがって、白色を表示すべき画素においては、表示初期化工程で白色表示された状態が維持される。その結果、第１領域においては、図１６（Ｄ）に示すように、「Ｂ」の文字のうち、第１領域に表示される部分が黒色表示される。
【０１０２】
第２領域における表示初期化工程は、第１領域と同様に、以下のように実行される。コントローラー３１は、データ線駆動回路１０１を制御して、パルス幅Ｔ１の電位が共通電極の電位Ｖｃｏｍである０［Ｖ］よりも低い信号を第２領域の画素電極に供給する。図１５に示した“Ｖ２＝−ＶＨ”は、第２領域の画素電極にパルス幅Ｔ１の電位が−ＶＨ［Ｖ］となる信号を供給することを意味している。第２領域においては、共通電極の電位よりも、画素電極の電位が低くなるため、負に帯電した白色粒子が共通電極に移動する。したがって、第２領域においては、図１６（Ｄ）に示すように、第２領域の全体が白色表示される。
【０１０３】
また、第３領域における画像消去工程は、第１領域の場合と同様に、次のようにして実行される。コントローラー３１は、データ線駆動回路１０１を制御して、共通電極の電位Ｖｃｏｍである０［Ｖ］よりも高いＶＨ［Ｖ］の電位を有する信号を第３領域の画素電極に供給する。図１５に示した“Ｖ３＝ＶＨ”は、第３領域の画素電極にパルス幅Ｔ１の電位がＶＨ［Ｖ］となる信号を供給することを意味している。第３領域においては、共通電極の電位よりも、画素電極の電位が高くなるため、正に帯電した黒色粒子が共通電極に移動する。したがって、第３領域においては、図１６（Ｄ）に示すように、第３領域の全体が黒色表示される。
【０１０４】
次に、コントローラー３１は、第１領域において表示維持工程を実行すると共に、第２領域において表示工程を実行し、かつ、第３領域において表示初期化工程を実行する（ステップＳ１３）。第１領域における表示維持工程は、ステップＳ１０の場合と同様に、次のようにして実行される。コントローラー３１は、データ線駆動回路１０１を制御して、共通電極の電位Ｖｃｏｍと等しい０［Ｖ］の信号を第１領域の画素電極に供給する。第１領域においては、共通電極と画素電極との間に電界を生じないため書き換えが行われない。したがって、第１領域においては、図１６（Ｅ）に示すように表示状態が維持される。
【０１０５】
第２領域における表示工程は、第１領域と同様に、以下のように実行される。コントローラー３１は、データ線駆動回路１０１を制御して、第２領域の黒色を表示すべき画素の画素電極には、共通電極の電位Ｖｃｏｍである０［Ｖ］よりも高いＶＨ［Ｖ］の電位を有する信号を供給する。図１５に示した“Ｖ２ａ＝ＶＨ”は、第２領域の黒色を表示すべき画素の画素電極にパルス幅Ｔ１の電位がＶＨとなる信号を供給することを意味している。一方、コントローラー３１は、データ線駆動回路１０１を制御して、第２領域の白色を表示すべき画素の画素電極には、共通電極の電位Ｖｃｏｍと等しい信号である０［Ｖ］の信号を供給する。図１５に示した“Ｖ２ｂ＝０”は、第２領域の白色を表示すべき画素の画素電極に０［Ｖ］の信号を供給することを意味している。第２領域においては、黒色を表示すべき画素の画素電極には、電位Ｖ２ａとして共通電極の電位よりも高い電位が供給されるため、黒色を表示すべき画素では黒色粒子が共通電極に移動する。しかし、白色を表示すべき画素の画素電極には、電位Ｖ２ｂとして共通電極の電位と等しい電位が供給されるため、共通電極と画素電極との間に電界が発生せず、書き換えが行われない。したがって、白色を表示すべき画素においては、表示初期化工程で白色表示された状態が維持される。その結果、第１領域においては、図１６（Ｅ）に示すように、「Ｂ」の文字のうち、第２領域に表示される部分が黒色表示される。
【０１０６】
第３領域における表示初期化工程は、第１領域と同様に、以下のように実行される。コントローラー３１は、データ線駆動回路１０１を制御して、パルス幅Ｔ１の電位が共通電極の電位Ｖｃｏｍである０［Ｖ］よりも低い信号を第３領域の画素電極に供給する。図１５に示した“Ｖ３＝−ＶＨ”は、第３領域の画素電極にパルス幅Ｔ１の電位が−ＶＨ［Ｖ］となる信号を供給することを意味している。第３領域においては、共通電極の電位よりも、画素電極の電位が低くなるため、負に帯電した白色粒子が共通電極に移動する。したがって、第３領域においては、図１６（Ｅ）に示すように、第３領域の全体が白色表示される。
【０１０７】
次に、コントローラー３１は、第１領域及び第２領域において表示維持工程を実行すると共に、第３領域において画像表示工程を実行する（ステップＳ１４）。第１領域及び第２領域における表示維持工程は、ステップＳ１０の場合と同様に、次のようにして実行される。コントローラー３１は、データ線駆動回路１０１を制御して、共通電極の電位Ｖｃｏｍと等しい０［Ｖ］の信号を第１領域及び第２領域の画素電極に供給する。第１領域及び第２領域においては、共通電極と画素電極との間に電界を生じないため書き換えが行われない。したがって、第１領域及び第２領域においては、図１６（Ｆ）に示すように表示状態が維持される。
【０１０８】
第３領域における画像表示工程は、第１領域と同様に、以下のように実行される。コントローラー３１は、データ線駆動回路１０１を制御して、第３領域の黒色を表示すべき画素の画素電極には、共通電極の電位Ｖｃｏｍである０［Ｖ］よりも高いＶＨ［Ｖ］の電位を有する信号を供給する。図１５に示した“Ｖ３ａ＝ＶＨ”は、第３領域の黒色を表示すべき画素の画素電極にパルス幅Ｔ１の電位がＶＨとなる信号を供給することを意味している。一方、コントローラー３１は、データ線駆動回路１０１を制御して、第３領域の白色を表示すべき画素の画素電極には、共通電極の電位Ｖｃｏｍと等しい信号である０［Ｖ］の信号を供給する。図１５に示した“Ｖ３ｂ＝０”は、第３領域の白色を表示すべき画素の画素電極に０［Ｖ］の信号を供給することを意味している。第３領域においては、黒色を表示すべき画素の画素電極には、電位Ｖ３ａとして共通電極の電位よりも高い電位が供給されるため、黒色を表示すべき画素では黒色粒子が共通電極に移動する。しかし、白色を表示すべき画素の画素電極には、電位Ｖ３ｂとして共通電極の電位と等しい電位が供給されるため、共通電極と画素電極との間に電界が発生せず、書き換えが行われない。したがって、白色を表示すべき画素においては、表示初期化工程で白色表示された状態が維持される。その結果、第３領域においては、図１６（Ｆ）に示すように、「Ｂ」の文字のうち、第３領域に表示される部分が黒色表示される。
【０１０９】
以上のようにして、第１領域、第２領域、及び第３領域における画像消去工程、表示初期化工程、及び画像表示工程のサイクルが終了すると、コントローラー３１は、図１５に示す処理を終了する。その後においても、コントローラー３１は、表示部４に表示される文字等を書き換える必要がある場合には、図１５に示す処理を実行する。
【０１１０】
図１５に示す処理が実行されることにより、表示部４において表示されていた「Ａ」の文字が「Ｂ」の文字に切り替わる。しかも、第１領域、第２領域、及び第３領域のそれぞれにおいて、各領域の全体の画素を黒色（画像表示工程と画像消去工程）、及び白色（表示初期化工程）へと変化させているので、結果として表示部４の全体に均一に電圧が印加され、部分駆動方式で生じ得る局所的なコントラスト比の低下の発生を抑えることができる。また、各領域において部分駆動方式による表示を行っているので、表示部４の全体を一度に黒色または白色の一色に塗りつぶす全面駆動方式で生じ得る残像の発生も抑えることができる。さらに、本実施形態においては、表示部４の全体が一度に黒色または白色の一色に表示されるのではなく、第１領域、第２領域、及び第３領域の順序で分割して表示されるので、一時的に時刻などの情報が読み取れなくなるということがない。また、装置が壊れてしまったと使用者が誤認することもない。
【０１１１】
さらに、本実施形態においては、一の領域において画像消去工程、表示初期化工程、及び画像表示工程のサイクルが終了する前に、他の領域において画像消去工程、表示初期化工程、及び画像表示工程のサイクルを開始するので、表示部４における表示の書き換えに要する時間を短縮することができる。
【０１１２】
＜第４実施形態＞
本発明の第３実施形態について図１７を参照しつつ説明する。なお、第１実施形態との共通箇所には同一符号を付して説明を省略する。
上述した実施形態においては、表示部４の表示領域を複数の副領域に分割する態様について説明した。本実施形態においては、上述した実施形態と同様に表示部４の表示領域を複数の副領域（一次副領域）に分割すると共に、各副領域（一次副領域）をさらに複数の副領域（二次副領域）に分割する。
【０１１３】
図１７に示す例では、第１領域、第２領域、及び第３領域のそれぞれの領域が、さらに領域１、領域２、及び領域３に分割されている。制御方法としては、第１実施形態と同様に、第１領域の領域１、第２領域の領域１、及び第３領域の領域１において、画像消去工程、表示初期化工程、及び画像表示工程のサイクルを実行し、その間は第１領域の領域２及び領域３、第２領域の領域２及び領域３、並びに第３領域の領域２及び領域３は表示維持工程を実行する。次に、第１領域の領域２、第２領域の領域２、及び第３領域の領域２において、画像消去工程、表示初期化工程、及び画像表示工程のサイクルを実行し、その間は第１領域の領域１及び領域３、第２領域の領域１及び領域３、並びに第３領域の領域１及び領域３は表示維持工程を実行する。そして、第１領域の領域３、第２領域の領域３、及び第３領域の領域３において、画像消去工程、表示初期化工程、及び画像表示工程のサイクルを実行し、その間は第１領域の領域１及び領域２、第２領域の領域１及び領域２、並びに第３領域の領域１及び領域２は表示維持工程を実行する。このように制御を行っても第１実施形態と同様の効果を奏することができる。
【０１１４】
あるいは、第２実施形態と同様に、第１領域の領域１、第２領域の領域１、及び第３領域の領域１において、画像消去工程を実行し、その間は第１領域の領域２及び領域３、第２領域の領域２及び領域３、並びに第３領域の領域２及び領域３は表示維持工程を実行する。次に、第１領域の領域１、第２領域の領域１、及び第３領域の領域１において、表示初期化工程を実行すると共に、第１領域の領域２、第２領域の領域２、及び第３領域の領域２において、画像消去工程を実行する。その間は第１領域の領域３、第２領域の領域３、並びに第３領域の領域３は表示維持工程を実行する。図１７はこのように制御した場合の表示例を示している。
【０１１５】
そして、第１領域の領域１、第２領域の領域１、及び第３領域の領域１において、画像表示工程を実行すると共に、第１領域の領域２、第２領域の領域２、及び第３領域の領域２において、表示初期化工程を実行する。そして、第１領域の領域３、第２領域の領域３、並びに第３領域の領域３は画像消去工程を実行する。
【０１１６】
以下、同様にして、一つの二次副領域（領域１、領域２、領域３のいずれか）において画像消去工程、表示初期化工程、及び画像表示工程のサイクルが終了する前に、他の二次副領域において画像消去工程、表示初期化工程、及び画像表示工程のサイクルを開始する。このように制御した場合でも、第２実施形態と同様の効果を奏することができる。
【０１１７】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【０１１８】
（変形例１）
上述した実施形態においては、表示部４の表示領域を３分割し、３つの副領域を設ける例について説明したが、本発明においては副領域の分割数は適宜変更可能である。図１８に示す例は、表示部４の表示領域を４分割し、第２実施形態と同様の制御を行った例を示している。表示部４の表示領域を４分割し、第１実施形態と同様の制御を行ってもよい。さらに、表示部４の表示領域の分割数を５分割以上として第１実施形態または第２実施形態と同様の制御を行ってもよい。
【０１１９】
さらに、第３実施形態のように一次副領域の中をさらに二次副領域に分割する場合でも、一次副領域及び二次副領域の分割数は適宜変更可能である。また、一次副領域の分割数と二次副領域の分割数は一致していなくても良い。
【０１２０】
（変形例２）
上述した実施形態においては、表示部４の表示領域を列方向（Ｘ方向）に分割する例について説明したが、本発明においては表示部４の表示領域を行方向（Ｙ方向）に分割しても良い。
【０１２１】
（変形例３）
上述した実施形態においては、一例として、文字「Ａ」及び「Ｂ」を表示部４に表示する例について説明したが、本発明においては、表示部４に表示される文字は時刻等の数字であってもよい。また、アルファベット等の文字と数字との組み合わせであっても良い。さらに、絵等を表示部４に表示する場合でも適用可能である。
【０１２２】
（変形例４）
上述した実施形態においては、第１色の一例として黒色を用い、第２色の一例として白色を用いたが、本発明は当該例に限定される訳ではない。例えば、第１色として白色を用い、第２色として黒色を用いてもよい。さらに、白色及び黒色以外の色の組み合わせであってもよい。
【０１２３】
＜応用例＞
本発明の応用例を図１９ないし図２１を参照して説明する。なお、上述した各実施形態と共通箇所については同一符号を付して説明を省略する。
（電子時計）
本発明は、図１９６に示すように、電子機器の一例としての電子時計として実現可能である。図１９は本応用例の電子時計１Ａの外観図であり、電子時計１Ａを表示部４に垂直かつ表示部４を視認可能な方向（正面）からみた平面図である。図１９に示すように、本応用例の電子時計１Ａは、腕時計であり、時計ケース２や時計ケース２に連結された一対のバンド３等を備える。なお、バンド３は、ストラップあるいはベルトであってもよい。
【０１２４】
時計ケース２の正面には、電気泳動表示パネルで構成された表示部４が設けられ、時計ケース２の側面（正面の方向に対して垂直な方向）には、操作ボタンＡ（５ａ）と操作ボタンＢ（５ｂ）とが設けられている。
【０１２５】
操作ボタンＡ（５ａ）又は操作ボタンＢ（５ｂ）の押下操作（入力操作）に応じて、表示部４には各種の画像、例えば、１分毎あるいは１秒毎に更新される時刻情報を含む各種の画像、時間の経過を表現する画像、時刻修正用の画像等が表示される。
【０１２６】
時計ケース２の内部には、表示部４と表示部４を駆動する駆動装置（図示せず）とを備えた電気泳動表示装置（表示部以外は図示せず）が設けられている。
【０１２７】
（情報端末）
図２０は、電気泳動表示装置１を利用した携帯型の情報端末（電子書籍）３１０の斜視図である。図２０に示すように、情報端末３１０は、利用者が操作する操作子３１２と、表示部３１４に画像を表示する電気泳動表示装置１００とを含んで構成される。操作子３１２が操作されると表示部３１４の表示画像が変更される。
【０１２８】
（電子ペーパー）
図２１は、電気泳動表示装置１を利用した電子ペーパー３２０の斜視図である。図２１に示すように、電子ペーパー３２０は、可撓性の基板（シート）３２２の表面に形成された電気泳動表示装置１を含んで構成される。電子ペーパー３２０においては、表示部３２５に画像が表示される。
本発明が適用される電子機器は以上の例示に限定されない。例えば、携帯電話機や時計（腕時計），携帯型の音響再生装置，電子手帳，タッチパネル搭載型の表示装置、リストに装着するタイプのスポーツ機器、ウェアラブル機器等の各種の電子機器に本発明を採用することが可能である。
また、本発明の表示部は、電気泳動表示装置に限定されるものではなく、メモリー性を有するエレクトロクロミック表示装置、あるいは液晶表示装置にも適用可能である。
【符号の説明】
【０１２９】
１…電気泳動表示装置、１Ａ…電子時計、２…時計ケース、３…バンド、４…表示部、１０…演算ＩＣ、３０…描画ＩＣ、３１…コントローラー、３２…フラッシュＲＯＭ、３５…ＲＡＭ、３７…共通電源変調回路、１０１…データ線駆動回路、１０２…走査線駆動回路、１０３，１０３Ａ，１０３Ｂ…画素、１０４…駆動用ＴＦＴ、１０５…ラッチ回路、１０６…スイッチ回路、１１１…データ線、１１２…走査線、１２０…マイクロカプセル、１２６…黒色粒子、１２７…白色粒子、１３０…素子基板、１３１…対向基板、１３２…電気泳動素子、１３５，１３５Ａ，１３５Ｂ…画素電極、１３７…共通電極、２００…共通電極配線、２０１，２０２…パルス信号線、２０３，２０５，２０６…高電位電源線、２０４，２０７，２０８…低電位電源線、３１０…情報端末、３１２…操作子、３１４…表示部、３２０…電子ペーパー、３２５…表示部、３５０…駆動電極層、３６０…電気泳動表示層、３７０…共通電極層。
【図１】
2016180897.tif 000003
【図２】
2016180897.tif 000004
【図３】
2016180897.tif 000005
【図４】
2016180897.tif 000006
【図５】
2016180897.tif 000007
【図６】
2016180897.tif 000008
【図７】
2016180897.tif 000009
【図８】
2016180897.tif 000010
【図９】
2016180897.tif 000011
【図１０】
2016180897.tif 000012
【図１１】
2016180897.tif 000013
【図１２】
2016180897.tif 000014
【図１３】
2016180897.tif 000015
【図１４】
2016180897.tif 000016
【図１５】
2016180897.tif 000017
【図１６】
2016180897.tif 000018
【図１７】
2016180897.tif 000019
【図１８】
2016180897.tif 000020
【図１９】
2016180897.tif 000021
【図２０】
2016180897.tif 000022
【図２１】
2016180897.tif 000023